(57)【特許請求の範囲】
【請求項１】
キャスターが取付けられた台座フレームと、前記台座フレームに立設され且つハンドルバーが連設された一対の支持フレームとを備えた本体フレームと、前記本体フレームの後部に設けられ、使用時には略水平姿勢に支持されると共に不使用時には前記本体フレームの後部に収納可能な可動式買物カゴ棚とを備えたネスティング可能なショッピングカートにおいて、
前記可動式買物カゴ棚は、後端縁部が上向きに曲げられた構成であり且つ前端縁部を中心に回動自在に前記本体フレームに取付けられており、前記後端縁部には前記可動式買物カゴ棚と同方向に回動自在な回動部材が設けられ、
前記回動部材は、弾性合成樹脂材が外周に巻回された車輪であることを特徴とするショッピングカート。
【請求項２】
請求項１に記載のショッピングカートにおいて、前記回動部材は、その回動軸が前記可動式買物カゴ棚の後端縁部よりも後方に位置するように設けられることを特徴とするショッピングカート。
【発明の詳細な説明】
【０００１】
【発明の属する技術分野】
本発明は、不使用時に相互にネスティングさせて収容できるショッピングカートにおいて、ネスティング時に収納可能な可動式買物カゴ棚に関する技術である。
【０００２】
【従来の技術】
スーパーマーケット等に常備されているショッピングカートの多くは、不使用時にコンパクト且つ整然と収容できるように、複数のショッピングカートを前後方向にネスティングし得る構造となっている。
【０００３】
上記のようにネスティング可能なショッピングカートの一例として、図７に示されるように、使用時には買物カゴ６を載置できるように略水平姿勢に支持されると共にネスティング時には略垂直姿勢となってショッピングカートの後部に収納可能な可動式買物カゴ棚４を備えた構造のものが特願2001-174288において提案されている。
【０００４】
この例のものは、図７に示されるように、キャスター付の台座フレーム１０とその左右両端から立設される一対の支持フレーム１１とからなる本体フレーム１と、前記本体フレーム１の前部に設けられる子供用座席シートを備えた乗物玩具部２と、前記乗物玩具部２の後部に設けられた買物カゴ６を載せるための上下二段の買物カゴ棚４，４０とから構成されている。
【０００５】
前記買物カゴ棚４，４０は、それぞれ所定の高さ位置で前記支持フレーム１１相互間に取付けられており、上段側の買物カゴ棚４０は前記乗物玩具部２の頂部よりも高い位置で水平状態に固定されている。一方、下段側の買物カゴ棚４は前記支持フレーム１１相互間を架橋される水平軸１４に回動自在に取付けられる可動式買物カゴ棚４であって、前記可動式買物カゴ棚４の左右両端にそれぞれ取付けられた支持部材３と前記支持フレーム１１との係合によって使用時に略水平姿勢に支持されるように設定されている。
【０００６】
また、ネスティング時に後方から挿入されるショッピングカートによって前記可動式買物カゴ棚４をスムーズに回動できるように、前記可動式買物カゴ棚４は前下がりに傾斜された姿勢で支持されると共にその後端縁部Ｒは上向きに湾曲されている。
【０００７】
【発明が解決しようとする課題】
しかしながら、上記ショッピングカートでは、前記ショッピングカートの挿入角度や速度等によって後方から挿入されるショッピングカートの前部と前記可動式買物カゴ棚４の後端縁部Ｒとが引っ掛かって該可動式買物カゴ棚４が回動不能状態となり、前記ショッピングカートの後部に収納させることができないことがある。前記ショッピングカートの挿入によって前記可動式買物カゴ棚４をスムーズ且つ確実に回動できるように、該可動式買物カゴ棚４の前下がりの傾斜をより大きくする方法が考えられる。しかし、前記可動式買物カゴ棚４の傾斜を大きくすると、前記買物カゴ棚４に載置された買物カゴ６から商品が落下され易くなると共に、前記可動式買物カゴ棚４への前記買物カゴ６の載置及び取出しが困難になるという問題がある。
【０００８】
本発明は、上記事情を鑑みてなされたものであり、『キャスターが取付けられた台座フレームと、前記台座フレームに立設され且つハンドルバーが連設された一対の支持フレームとを備えた本体フレームと、
前記本体フレームの後部に設けられ、使用時には略水平姿勢に支持されると共に不使用時には前記本体フレームの後部に収納可能な可動式買物カゴ棚とを備えたネスティング可能なショッピングカート』において、可動式買物カゴ棚の傾斜を大きくすることなく、ショッピングカートの挿入によって使用状態の可動式買物カゴ棚をスムーズ且つ確実に該ショッピングカートの後部に収納できるようにすることを課題とする。
【０００９】
【課題を解決するための手段】
＊１項
上記課題を解決するための本発明の技術的手段は、『前記可動式買物カゴ棚は、後端縁部が上向きに曲げられた構成であり且つ前端縁部を中心に回動自在に前記本体フレームに取付けられており、前記後端縁部には前記可動式買物カゴ棚と同方向に回動自在な回動部材が設けられ、前記回動部材は、弾性合成樹脂材が外周に巻回された車輪である』ことを特徴とするものである。
【００１０】
これによれば、本発明に係るショッピングカート相互をネスティングする場合において、後方からショッピングカートを挿入すると、前記ショッピングカートの前部が使用状態（略水平姿勢に支持された状態）の買物カゴ棚の後端縁部に設けられた回動部材に当接される。引き続き、前記ショッピングカートを挿入すると、挿入による押圧によって前記回動部材が回動されて前記回動部材がショッピングカートに沿って回転運動する。これにより、前記可動式買物カゴ棚は前記ショッピングカートに引っ掛かることなくスムーズに回動される。
そして、前記回動部材は、弾性合成樹脂材が外周に巻回された車輪とするので、弾性合成樹脂材によって後方から挿入されたショッピングカートが衝突される際の衝撃が吸収されるため、該可動式買物カゴ棚が破損されにくいと共にネスティング時に大きな衝撃音が生じることがない。また、前記回動部材との当接によって前記ショッピングカートが傷付けられることもない。
また、前記車輪の外周に弾性合成樹脂材が巻回されているため、前記ショッピングカートが斜め方向から前記車輪に当接される場合にも回動されやすい。
【００１１】
＊２項
１項において、『前記回動部材は、その回動軸が前記可動式買物カゴ棚の後端縁部よりも後方に位置するように設けられる』ことを特徴とするものでは、回動部材の回動軸が可動式買物カゴ棚の後端縁部と同じ位置となるように設けられる場合と比べて、前記回動部材が前記後端縁部から後方に大きく突出される。そのため、後方から挿入するショッピングカートの挿入角度が多少ズレるような場合にも前記ショッピングカートと該回動部材とが当接されるため、前記可動式買物カゴ棚をよりスムーズ且つ確実に回動させて該ショッピングカートの後部に収納させることができる。
【００１３】
【発明の効果】
上記のような構成であるから本発明は次の特有の効果を有する。
本発明に係るショッピングカート相互をネスティングする場合において、後方から挿入するショッピングカートの前部と可動式買物カゴ棚とが引っ掛かることがなく該可動式買物カゴ棚４がスムーズに回動されるため、前記可動式買物カゴ棚の傾斜を大きくすることなく、前記ショッピングカートの挿入によって前記可動式買物カゴ棚をスムーズ且つ確実にショッピングカートの後部に収納させることができる。
また、弾性合成樹脂材の巻回された車輪が回動部材として用いられることによって、ネスティング時の衝突の衝撃が吸収されるため、ショッピングカートの破損や衝撃音の発生が防止される。
【００１４】
また、２項のものによれば、回動部材が前記可動式買物カゴ棚の後端縁部よりも後方に突出するように設けられることによって、挿入されるショッピングカートと前記回動部材とが確実に当接されるため、前記可動式買物カゴ棚がよりスムーズ且つ確実に前記ショッピングカートの後部に収納させることができる。
【００１６】
【発明の実施の形態】
以下に、本発明の実施の形態について添付図面を参照しながら詳述する。
図１には、本発明実施の形態の一例であるショッピングカートの使用状態を示している。
【００１７】
この例のショッピングカートは、前後左右の下方に４つのキャスター１３が取付けられた台座フレーム１０と、前記台座フレーム１０の後部の左右両端に立設される一対の支持フレーム１１と、前記支持フレーム１１の上端部相互を連結するハンドルバー１２とからなる本体フレーム１と、前記台座フレーム１０の前部に設けられた子供用座席シート２０を備えた乗物玩具部２と、前記支持フレーム１１相互間の上段及び中段位置にそれぞれ取付けられた買物カゴ棚４,４０とから構成されている。また、前記ショッピングカートは、ショッピングカート相互をネスティング収容できるように、前方から後方へ向かって横幅が徐々に拡大すると共に、前記ショッピングカートの前部を収容し得るように後端部が後方向に開放された構成となっている。
【００１８】
＊本体フレーム１
前記支持フレーム１１は、図２及び図３に示されるように、前記台座フレーム１０の左右後端からそれぞれ直立されて、中段付近において前方へ屈曲させて後述する可動式買物カゴ棚４を支持する後下がりに傾斜する支持辺部１１０を形成させた後、再び鉛直上向きに屈曲されている。そして、前記乗物玩具部２の頂部と略同じ高さ位置において後方に略水平に屈曲されており、前記支持フレーム１１の先端縁相互は水平なハンドルバー１２によって連結されている。
この例のものでは、前記台座フレーム１０及び支持フレーム１１、ハンドルバー１２は何れも金属製のパイプ材から形成されており、前記支持フレーム１１とハンドルバー１２とは連続する一本のパイプ材を屈曲させて形成している。
【００１９】
前記支持辺部１１０には、図１及び図３に示されるように、後述する可動式買物カゴ棚４の係合部材３と係合すると共に該可動式買物カゴ棚４に載置された買物カゴ６の側方への脱出を防止する逆Ｕ字状の側枠部材１５が設けられている。また、前記支持辺部１１０の前端部には、後述する前記可動式買物カゴ棚４の回動軸４１を回動自在に挿通する貫通孔が形成された一対の保持部材１４が下向きに突出形成されている。
また、前記本体フレーム１の右側部には、図３及び図４に示されるように、傘を立てた状態で保持し得るようにＵ字状の保持枠６１と保持リング６２とからなる傘立て６が設けられている。
【００２０】
＊乗物玩具部２
前記乗物玩具部２は、前記台座フレーム１０に固定支持される子供用座席シート２０と、この子供用座席シート２０を包囲するように前記本体フレーム１に取付けられた乗物型周壁部とから構成されており、前記乗物周壁部の前板部２２及び側板部２１には大きく開放する窓部Ｗがそれぞれ形成されている。
【００２１】
前記乗物型周壁部は合成樹脂材料によるブロー成形品であり、図２に示されるように、前記前板部２２には子供の手遊び用のハンドル２４や各種操作ボタン等が設けられており、前記側板部２１にはロック機構の付いた開閉自在の扉部２３が設けられている。
【００２２】
＊買物カゴ棚４，４０
２つの買物カゴ棚４，４０は、何れも前記支持フレーム１１相互間に収容されると共に店舗に常備されている買物カゴ６を載置可能な大きさに設定された金属製の網棚である。
【００２３】
上段位置に設けられた買物カゴ棚４０は、これに載置させる買物カゴ６の脱落を防止するために周縁部には所定の高さの側壁が形成されており、前記支持フレーム１１相互間に水平に架橋されたコ字状の支持枠１６に固定されている。また、前記買物カゴ棚４０の前方の側壁にはショッピングカートの使用上の注意を記載したプレート４３が取付けられている。
【００２４】
中段位置に設けられた買物カゴ棚４は、前端縁部に設けられた円筒状の回動軸４１を前記支持フレーム１１の一対の保持部材１４に回動自在に挿通保持させた可動式買物カゴ棚４であって、図４に示されるように、前方から後方に向かって横幅が徐々に狭くなるように設定されている。また、前記可動式買物カゴ棚４は、図５に示されるように、後端縁部Ｒにおいて上向きに湾曲されており、前記後端縁部Ｒの先端部には回転部材である車輪５が前記可動式買物カゴ棚４と同方向に回動自在に取付けられている。
【００２５】
前記可動式買物カゴ棚４には、該可動式買物カゴ棚４の中央部を左右方向に横断すると共にその両側端縁から突出して前記支持フレーム１１の支持辺部１１０と係合する金属製の線材からなる係合部材３が取付けられている。前記係合部材３は、図１及び図５に示されるように、使用時に前記買物カゴ棚４をわずかに前下がりに傾斜された姿勢で支持し得る位置に設けられており、前記係合部材３の両端部は前記支持辺部１１０に設けられた側枠部材１５とも係合し得るようにＬ字状に屈曲されている。
【００２６】
前記車輪５は、弾性合成樹脂製のタイヤ部を有しており、図４に示されるように、前記可動式買物カゴ棚４の後端縁部Ｒの先端部に後方に突出するように設けられた一対のＬ字状の取付け板４２とこの取付け板４２相互間に貫通固定される回動軸によって回動自在に保持されている。また、この例のものでは、前記車輪５が前記後端縁部Ｒの先端部よりも上方に突出しないように、前記一対の取付け板４２はやや後下がりに傾斜した姿勢で前記可動式買物カゴ棚４の先端部に取付けられている。
【００２７】
＊ショッピングカートのネスティングについて
次に、上記ショッピングカート相互をネスティングする場合の前記可動式買物カゴ棚４の動作について図５を参照しながら説明する。
可動式買物カゴ棚４が使用状態に支持されたショッピングカートＡの後方に別のショッピングカートＢを挿入させると、図５に示されるように、ショッピングカートＡの可動式買物カゴ棚４の後端縁部Ｒに取付けられた車輪５と前記ショッピングカートＢの前板部２２とが当接される。
【００２８】
引き続き、前記ショッピングカートＢを前方向へさらに挿入させると、前記前板部２２に当接された前記車輪５が前記ショッピングカートＢの挿入方向に作用する押圧力によって回転されて、図５中の破線で示されるように、前記ショッピングカートＢの挿入と共に前記前面板２２を上方へと回転運動する。これにより、前記可動式買物カゴ棚４の後端縁部Ｒが上方へと持上げられる。
【００２９】
前記車輪５が前記前面板２２の上端縁２２０まで回転運動すると、前記車輪５と前面板２２との当接は解除されて該車輪５は前記窓部Ｗから前記乗物玩具２内に入り込んでしまうが、図５中の破線で示されるように、前記可動式買物カゴ棚４は前記上端縁２２０に支持されて前記ショッピングカートＢの挿入と共に前方向へと回動されることとなる。
【００３０】
そして、前記ショッピングカートＢを最終位置まで挿入させると、前記可動式買物カゴ棚４は、図５中の破線で示されるように、前記子供用座席シート２０に略垂直姿勢でもたれ掛かった状態で前記ショッピングカートＡの後部に収納される。このとき、前記ショッピングカートＡ，Ｂ相互は、図６に示されるように、前後方向に整然とネスティング状態で収容される。
【００３１】
このような構成であるため、この例のショッピングカート相互をネスティングする場合、後方から挿入されるショッピングカートＢと前記可動式買物カゴ棚４の後端縁部Ｒとが引っ掛かって前記可動式買物カゴ棚４が回動不能状態となることがなく、前記ショッピングカートＢの挿入によって前記可動式買物カゴ棚４を回動させてスムーズ且つ確実にショッピングカートＡの後部に収納させることができる。また、前記車輪５の回転運動によって前記可動式買物カゴ棚４が上方へと持上げられるため、前記可動式買物カゴ棚４をスムーズ且つ確実に回動させるために該可動式買物カゴ棚４の使用時の支持姿勢の傾斜を大きくする必要もない。
【００３２】
この例のものでは、前記車輪５の回動軸が前記後端縁部Ｒの先端部よりもさらに後側に位置するように後方に大きく突出した態様で取付けられているため、前記ショッピングカートＢが多少ズレた挿入角度で挿入されるような場合にも、前記ショッピングカートＢと前記車輪５とが確実に当接されるため、前記可動式買物カゴ棚がよりスムーズ且つ確実に前記ショッピングカートの後部に収納させることができる。
【００３３】
また、上記車輪５は弾性合成樹脂製のタイヤ部を有しているため、ネスティング時に、前記ショッピングカートＢの前板部２２と前記車輪５の衝突時の衝撃が吸収されるため、前記ショッピングカートＢや前記可動式買物カゴ棚４の破損や衝撃音の発生が防止される。また、前記車輪５の外周にタイヤ部が巻回されているため、前記ショッピングカートＢが斜め方向から前記車輪５に当接される場合にも回動されやすい。
【００３４】
さらに、前記車輪５は、前記可動式買物カゴ棚４の後端縁部Ｒの先端部よりも上方に突出しないように取付けられているため、前記車輪５の回転運動によってより確実に前記可動式買物カゴ棚４を上方に持上げることができる。
【００３５】
＊その他
本発明のショッピングカートは上記した実施の形態に限られるものではない。前述の例において、前記可動式買物カゴ棚４に取付けられる車輪５は１個となっているが、所定の間隔毎に複数の車輪を取付けてもよい。また、前記車輪５は前記後端縁部Ｒに取付けられた一対の取付け板４２に回動自在に保持されているが、前記後端縁部Ｒの先端部を構成する金属製の線材に直接回動自在に取付けるものであってもよい。
【００３７】
前述の例においては、前部に乗物玩具部２を備えた構造のショッピングカートに対して本発明を実施しているが、前部の構造が異なるその他のショッピングカートに対して実施するものであってもよい。
【図面の簡単な説明】
【図１】本発明実施の形態におけるショッピングカートの使用状態を示す説明図である。
【図２】図１のショッピングカートの断面図である。
【図３】可動式買物カゴ棚の使用状態における支持姿勢を示す斜視図である。
【図４】図３の平面図である。
【図５】可動式買物カゴ棚の動作を示す説明図である。
【図６】ショッピングカート相互をネスティング収容させた状態を示す説明図
【図７】従来のショッピングカート
【符号の説明】
(1)・・・本体フレーム
(10)・・・台座フレーム
(11)・・・支持フレーム
(2)・・・乗物玩具部
(3)・・・係合部材
(4)・・・可動式買物カゴ棚
(40)・・・買物カゴ棚
(5)・・・車輪
(6)・・・傘立て
Ａ，Ｂ・・・ショッピングカート
Ｒ・・・後端縁部
【図１】
0003757186.tif 000002
【図２】
0003757186.tif 000003
【図３】
0003757186.tif 000004
【図４】
0003757186.tif 000005
【図５】
0003757186.tif 000006
【図６】
0003757186.tif 000007
【図７】
0003757186.tif 000008